(57)【要約】【課題】貯留部内に貯留される処理水から複数種類の処理水を取り出すことのできる水処理装置を得る。【解決手段】水処理装置１は、処理水生成部４０で生成された処理水を貯留する貯留部８と、処理水を加圧するポンプ９と、少なくとも一対の陰極１０ｂおよび陽極１０ｄを有し、電解水を生成する電解槽１０と、を備えている。そして、貯留部８の下流側に、ポンプ９および電解槽１０が配置されている。【選択図】図１
2013066830.tif 000002
【特許請求の範囲】
【請求項１】
処理水生成部で生成された処理水を貯留する貯留部と、
前記処理水を加圧するポンプと、
少なくとも一対の陰極および陽極を有し、電解水を生成する電解槽と、
を備える水処理装置であって、
前記貯留部の下流側に、前記ポンプおよび前記電解槽が配置されていることを特徴とする水処理装置。
【請求項２】
前記水処理装置は、制御部を備えており、
前記制御部が、前記ポンプの電流値をフィードバックし、当該ポンプの電流値を制御することで、ポンプの吐出流量が略一定となるように制御することを特徴とする請求項１に記載の水処理装置。
【請求項３】
前記水処理装置は、制御部と、前記貯留部の水位を推定する水位推定手段とを有しており、
前記制御部は、推定された水位に応じた電流値で前記ポンプを駆動させることを特徴とする請求項１に記載の水処理装置。
【請求項４】
前記貯留部の水位が複数のレンジに区分されており、各レンジに対応した電流値がそれぞれ定められており、
前記制御部は、推定された水位が属するレンジに対応した電流値で前記ポンプを駆動させることを特徴とする請求項３に記載の水処理装置。
【請求項５】
前記水処理装置は、前記貯留部内の処理水を循環させて前記貯留部内に再導入する循環路を備えており、
前記電解槽で生成された酸性水が前記循環路内を循環できるようにしたことを特徴とする請求項１〜４のうちいずれか１項に記載の水処理装置。
【請求項６】
前記処理水生成部は、処理水と濃縮水とを分離する逆浸透膜を用いた逆浸透濾過部を備えており、
前記逆浸透濾過部には、前記濃縮水を排水する濃縮水排水路が設けられており、
前記電解槽には、前記電解槽で生成された電解水を排水する排水路が設けられており、
前記排水路と前記濃縮水排水路とを連通させ、連通部の下流側にリストリクタを設けたことを特徴とする請求項１〜５のうちいずれか１項に記載の水処理装置。
【発明の詳細な説明】
【技術分野】
【０００１】
本発明は、水処理装置に関する。
【背景技術】
【０００２】
従来、水処理装置として、飲料水（処理水）を貯留する貯留部と、貯留部内の飲料水を循環させる循環路と、を備えるものが知られている（たとえば、特許文献１参照）。
【０００３】
この特許文献１では、貯留部に循環路の両端を接続固定している。そして、循環路に殺菌手段を設け、貯留部内の飲料水を循環させる際に、殺菌を行い、飲料水が貯留部内に衛生的に貯留されるようにしている。
【０００４】
そして、循環路の殺菌手段の下流側に水抽出バルブを連結することで、貯留部内に貯留された飲料水を取り出せるようにしている。
【先行技術文献】
【特許文献】
【０００５】
【特許文献１】特開２００６−２７２０２９号公報
【発明の概要】
【発明が解決しようとする課題】
【０００６】
しかしながら、かかる従来の水処理装置では、貯留部に貯留された処理水を殺菌した状態で取り出すことはできるが、この水処理装置は、単に貯留部内の処理水を取り出すようにしただけのものである。したがって、貯留部内に貯留される処理水から複数種類の処理水を取り出すことはできない。
【０００７】
そこで、本発明は、貯留部内に貯留される処理水から複数種類の処理水を取り出すことのできる水処理装置を得ることを目的とする。
【課題を解決するための手段】
【０００８】
本発明の第１の特徴は、処理水生成部で生成された処理水を貯留する貯留部と、前記処理水を加圧するポンプと、少なくとも一対の陰極および陽極を有し、電解水を生成する電解槽と、を備える水処理装置であって、前記貯留部の下流側に、前記ポンプおよび前記電解槽が配置されていることを要旨とする。
【０００９】
本発明の第２の特徴は、前記水処理装置は、制御部を備えており、前記制御部が、前記ポンプの電流値をフィードバックし、当該ポンプの電流値を制御することで、ポンプの吐出流量が略一定となるように制御することを要旨とする。
【００１０】
本発明の第３の特徴は、前記水処理装置は、制御部と、前記貯留部の水位を推定する水位推定手段とを有しており、前記制御部は、推定された水位に応じた電流値で前記ポンプを駆動させることを要旨とする。
【００１１】
本発明の第４の特徴は、前記貯留部の水位が複数のレンジに区分されており、各レンジに対応した電流値がそれぞれ定められており、前記制御部は、推定された水位が属するレンジに対応した電流値で前記ポンプを駆動させることを要旨とする。
【００１２】
本発明の第５の特徴は、前記水処理装置は、前記貯留部内の処理水を循環させて前記貯留部内に再導入する循環路を備えており、前記電解槽で生成された酸性水が前記循環路内を循環できるようにしたことを要旨とする。
【００１３】
本発明の第６の特徴は、前記処理水生成部は、処理水と濃縮水とを分離する逆浸透膜を用いた逆浸透濾過部を備えており、前記逆浸透濾過部には、前記濃縮水を排水する濃縮水排水路が設けられており、前記電解槽には、前記電解槽で生成された電解水を排水する排水路が設けられており、前記排水路と前記濃縮水排水路とを連通させ、連通部の下流側にリストリクタを設けたことを要旨とする。
【発明の効果】
【００１４】
本発明によれば、貯留部の下流側に、ポンプおよび電解槽が配置されている。このため、電解槽を駆動させた場合には、電解水を取り出すことができ、電解槽を駆動させない場合には、処理水を取り出すことができる。このように、本発明によれば、貯留部内に貯留される処理水から複数種類の処理水を取り出すことのできる水処理装置を得ることができる。
【図面の簡単な説明】
【００１５】
【図１】本発明の第１実施形態にかかる水処理装置を模式的に示す全体構成図である。
【図２】本発明の第２実施形態にかかる水処理装置を模式的に示す全体構成図である。
【図３】本発明の第３実施形態にかかる水処理装置を模式的に示す全体構成図である。
【図４】本発明の第４実施形態にかかる水処理装置を模式的に示す全体構成図である。
【発明を実施するための形態】
【００１６】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１７】
（第１実施形態）
本実施形態にかかる水処理装置１は、図１に示すように、処理水生成部４０で生成された処理水を貯留する貯留部８と、処理水を加圧する昇圧ポンプ９と、少なくとも一対の陰極１０ｂおよび陽極１０ｄを有し、電解水を生成する電解槽１０と、を備えている。
【００１８】
また、本実施形態では、水処理装置１は、筐体２を備えており、当該筐体２には、水処理装置１の駆動／停止や処理水の吐水／停止を操作したり、飲用可能状態となったことを報知したりする表示部・操作部１９が取り付けられている。また、処理水生成部４０の一部や貯留部８、電解槽１０などは、筐体２内に収容されている。
【００１９】
また、本実施形態では、水道管などの原水配水管Ｐ０から水道水などの原水が導入される給水路Ｐ１を有している。
【００２０】
この給水路Ｐ１には、上流側から順にプレフィルタ３、開閉弁４、昇圧ポンプ５、ナノフィルタ（逆浸透濾過部）６、活性炭フィルタ７が設置されている。本実施形態では、プレフィルタ３、開閉弁４、昇圧ポンプ５、ナノフィルタ６および活性炭フィルタ７で処理水を生成する処理水生成部４０を構成している。
【００２１】
そして、活性炭フィルタ７の下流側には、処理水を吐出口５０から吐出することで貯留部８内に導入する導入路Ｐ２が設けられている。なお、原水は水道水に限られるものではなく、井戸水や溜め水等であってもよい。
【００２２】
プレフィルタ３は、例えば、不織布フィルタや活性炭フィルタを用いることができる。不織布フィルタを用いると、給水路Ｐ１内に導入される水道水に混入した粒子やゴミなどの異物を捕捉して除去することができる。
【００２３】
また、活性炭フィルタを用いると、遊離残留塩素や、水に溶解した成分、特に異味や異臭、あるいは、トリハロメタンをはじめとしたハロゲン化炭素を除去することができる。
【００２４】
なお、活性炭フィルタの内部に重金属を除去するための重金属除去剤を混入し、当該重金属除去剤に鉛などの有害重金属を吸着させて除去できるようにしてもよい。また、活性炭フィルタで水中の残留塩素を分解除去することで、下流側に細菌が繁殖し易くなるが、これを防止するため、活性炭フィルタを用いた場合のプレフィルタ３や活性炭フィルタ７に、銀などの抗菌性を有する金属を含む抗菌剤を混合するようにしてもよい。
【００２５】
また、プレフィルタ３の構成は、これらの構成に限定されるものではない。例えば、プレフィルタとして、コットンなどの繊維を集水管に巻き付けたワインドタイプのものや焼結タイプのものを用いてもよく、細い繊維を積層した繊維タイプのものを用いてもよい。また、プレフィルタとして、粒状活性炭をケースに収納したタイプのものや焼結タイプのものを用いてもよいし、繊維状炭タイプのものを用いてもよい。また、ブロック活性炭フィルタや繊維状活性炭フィルタを用い、当該フィルタの孔径を利用して不織布フィルタの機能を兼ね備えるようにしてもよい。さらに、プレフィルタとして、粗濾過用のセディメントフィルタや活性炭フィルタ、ＭＦ膜，ＵＦ膜等を用いることも可能であり、その数や組合せを、原水の水質を考慮しつつ必要に応じて変えるようにするのが好適である。
【００２６】
また、本実施形態では、交換頻度が他の部材よりも高いプレフィルタ３を筐体２の外部に設けるようにしたが、プレフィルタ３を筐体２内に収容させるようにしてもよい。
【００２７】
開閉弁４は、原水の水処理装置１内への導入の開始および停止を制御するものである。
【００２８】
そして、原水配水管Ｐ０から給水路Ｐ１内に導入された原水は、プレフィルタ３を通過して濾過される。
【００２９】
このように、本実施形態では、プレフィルタ３にて前処理を行った浄水が、ナノフィルタ（逆浸透濾過部）６に導入されるようになっている。
【００３０】
そして、プレフィルタ３の下流側には、昇圧ポンプ５が設置されており、プレフィルタ３にて前処理を行った浄水は、開閉弁４を通過して昇圧ポンプ５に至る。なお、開閉弁４は、給水路Ｐ１の途中のいずれかの位置に設置されていればよいが、プレフィルタ３の下流側に設置されているのが好ましい。こうすれば、開閉弁４内部への異物の侵入を抑制することができるためである。
【００３１】
ナノフィルタ（逆浸透濾過部）６は、ＮＦ膜（逆浸透膜）６ａを有しており、前処理が行われた浄水は、ナノフィルタ６に導入され、ＮＦ膜（逆浸透膜）６ａを透過しない濃縮水とＮＦ膜（逆浸透膜）６ａを透過した処理水（透過水）とに分離される。
【００３２】
このナノフィルタ６は、昇圧ポンプ５によって逆浸透圧をかけ、ナノフィルタ６に送られた浄水の一部をＮＦ膜（逆浸透膜）６ａを透過させることで処理水（透過水）を生成するようにしたものである。なお、ＮＦ膜６ａを用いると、有機物（たとえば、トリハロメタンやカビ臭および農薬など）や重金属イオン（たとえば、鉛、クロム、カドミウム、水銀、砒素など）、さらにナトリウムやカルシウムなどの低分子量のイオン成分などを除去することができる。
【００３３】
また、残りの水分、塩類や不純物（この不純物には有機物やイオンなどが含まれる）は、濃縮水として濃縮水排水路Ｐ５から排出されるようになっている。
【００３４】
濃縮水排水路Ｐ５には、途中にリストリクタ１５が設けられており、このリストリクタ１５によって、処理水（透過水）の生成量が決定される。
【００３５】
ところで、ＮＦ膜６ａはＲＯ膜よりも透過孔が大きくなっている。そのため、ＮＦ膜６ａを用いたナノフィルタ６は、粒子や有機物および重金属を９０パーセント以上の高い除去率で除去することができるが、低分子量のイオン成分は処理水（透過水）に約１０〜３０パーセント程度残存するという特性を有する。この場合、例えば導電率が３００μＳ／ｃｍの水を透過させた場合、低分子イオンが残存した処理水として、約６０μＳ／ｃｍ程度の導電率の処理水が得られる。ただし、逆浸透膜として使用する膜は、このＮＦ膜に限らず、ＲＯ膜等の逆浸透膜を用いることも可能である。
【００３６】
そして、ＮＦ膜６ａを透過した水は、これらの物質が除去された処理水（透過水）として、活性炭フィルタ７に供給される。
【００３７】
活性炭フィルタ７に導入された処理水（透過水）は、活性炭フィルタ７を通過して濾過される。活性炭フィルタ７にて処理水（透過水）を濾過することで、ＮＦ膜（逆浸透膜）６ａを透過させた際に発生するにおい等を除去することができ、処理水（透過水）の味をまろやかにすることができる。
【００３８】
そして、活性炭フィルタ７にて濾過された処理水（透過水）は導入路Ｐ２に供給される。この導入路Ｐ２は、吐出口５０が貯留部８の上部に配置されるように設けられており、処理水（透過水）を貯留部８内に導入するための通路である。なお、貯留部８は、天面が開口した容器になっている。
【００３９】
そして、活性炭フィルタ７にて濾過された処理水（透過水）は、吐出口５０から貯留部８内に吐出されて貯留部８内に一時的に貯留されることとなる。
【００４０】
このように、処理水（透過水）を貯留部８内に一時的に貯留することで、処理水を外部へ吐出する際に要する時間を短縮させることができる。
【００４１】
ここで、本実施形態では、貯留部８内の処理水を外部に吐出する吐出路Ｐ４が形成されている。具体的には、吐出路Ｐ４は、貯留部８に接続された殺菌／電解処理路Ｐ３の下流側に接続されており、吐出口７０が筐体２の外部に露出するように吐出路Ｐ４が設けられている。こうして、貯留部８内の処理水を殺菌もしくは電解した状態で、吐出口７０から外部に吐出できるようにしている。なお、殺菌／電解処理路Ｐ３は、貯留部８内の処理水を殺菌／電解処理路Ｐ３内に導入する側が貯留部８の下部に接続されている。
【００４２】
さらに、殺菌／電解処理路Ｐ３の途中、すなわち、貯留部８の下流側に、電解槽１０が設けられており、吐出路Ｐ４からアルカリイオン水（処理水）や透過水（処理水）を選択的に供給できるようになっている。
【００４３】
本実施形態では、殺菌／電解処理路Ｐ３の上流側から順に昇圧ポンプ９、電解槽１０が設置されている。
【００４４】
電解槽１０は、内部が隔膜１０ａによって仕切られており、一方が陰極（電極）１０ｂを有する陰極室１０ｃとなっており、他方が陽極（電極）１０ｄを有する陽極室１０ｅとなっている。そして、殺菌／電解処理路Ｐ３の端末を分岐させて、一方の分岐路を陰極室１０ｃの入口に連通させ、他方の分岐路を陽極室１０ｅの入口に連通させている。
【００４５】
この電解槽１０の陰極室１０ｃおよび陽極室１０ｅにそれぞれ導入された処理水は、陰極１０ｂと陽極１０ｄとの間に電圧を印加することで電気分解され、陰極室１０ｃではアルカリイオン水が生成されるとともに、陽極室１０ｅでは酸性水が生成される。
【００４６】
また、陰極室１０ｃの出口は、殺菌／電解処理路Ｐ３に連通されており、陽極室１０ｅの出口は、排出路Ｐ６に連通されている。そして、陰極室１０ｃで生成されたアルカリイオン水は、殺菌／電解処理路Ｐ３および吐出路Ｐ４を通り、吐出口７０から外部に吐出されるようになっている。一方、陽極室１０ｅで生成された酸性水は、排出路Ｐ６から外部に排出されるようになっている。
【００４７】
さらに、本実施形態では、殺菌／電解処理路Ｐ３の貯留部８よりも下流側に昇圧ポンプ９を配置しており、この昇圧ポンプ９を作動させ、貯留部８から処理水（透過水）を電解槽１０に導入するようにしている。また、貯留部８の所定位置には、水位センサ２０が設けられており、貯留部８の所定位置まで貯水された際に、満水状態であることを検知して開閉弁４の制御を行うことができるようにしている。
【００４８】
さらに、殺菌／電解処理路Ｐ３には、ＵＶ管１１ａを有する殺菌部１１が設けられている。そして、この殺菌部１１の下流側に吐出路Ｐ４が接続されている。
【００４９】
したがって、貯留部８内の処理水を電解槽１０にて電気分解することで得られるアルカリイオン水（処理水）や動作していない電解槽１０を通過した透過水（処理水）は、吐出口７０から吐出する前に、殺菌部１１を通過することで殺菌されるようになっている。なお、殺菌部はＵＶ管を用いるものに限らず、オゾン等他の殺菌手段を用いてもよい。このように、殺菌部１１を設けることでより衛生的な処理水（アルカリイオン水や透過水）を供給することができる。
【００５０】
また、本実施形態では、貯留部８は、筐体２内に着脱可能に設置されるようにしている。具体的には、貯留部８は水平方向にスライド可能に設置されており、貯留部８を水平方向にスライドさせることで、貯留部８を取り外すことができるようになっている。
【００５１】
このとき、貯留部８と殺菌／電解処理路Ｐ３との接続部には、貯留部８の着脱時に、貯留部８内に残留した処理水が漏水しないよう機械式可動弁２１が設けられている。この機械式可動弁２１としては、公知の構造のものを用いることができる。なお、機械式可動弁２１の替わりに電磁弁を用いることも可能である。
【００５２】
なお、吐出口５０は、貯留部８着脱の際に邪魔にならないよう、貯留部８天面位置より上部に配置されるようにするのが好ましい。また、貯留部８をスライドさせたときに、吐出口５０が上方に移動できる構成とし、導入路Ｐ２が貯留部８の着脱を邪魔しないようにすることも可能である。
【００５３】
また、排出路Ｐ６には、電磁弁１４が設けられている。
【００５４】
また、本実施形態では、水処理装置１には制御回路（制御部）１８が設けられている。そして、開閉弁４、昇圧ポンプ５、昇圧ポンプ９、ＵＶ管１１ａ、電磁弁１４およびリストリクタ１５が、制御回路（制御部）１８から供給される指令信号（電力）により制御されている。また、水位センサ２０および表示部・操作部１９の操作信号が制御回路（制御部）１８に送られるようになっている。さらに、電解槽１０も制御回路（制御部）１８の指令信号によって駆動するようになっており、電解槽１０の陰極１０ｂおよび陽極１０ｄには、制御された電圧が印加されるようになっている。
【００５５】
なお、本実施形態では、制御回路（制御部）１８への電源の供給は、図示せぬ外部電源に接続される電源プラグ１６から供給される商用交流電圧を電源部１７にて直流電圧に変換した状態で行われる。
【００５６】
また、水処理装置１は、貯留部８内の処理水を排水する排水手段を備えている。本実施形態では、機械式可動弁２１、昇圧ポンプ９、電解槽１０の陽極室１０ｅ、排出路Ｐ６を通過させて排水するようになっている。
【００５７】
このとき、昇圧ポンプ９を駆動させて貯留部８内の処理水を排水するようにしてもよいし、重力を利用して、貯留部８内の処理水を排水するようにしてもよい。
【００５８】
また、貯留部８内に新たに処理水を貯留することなく、貯留部８内の処理水を吐出口７０から吐出させることで、貯留部８内の処理水を排水することも可能である。
【００５９】
そして、本実施形態では、制御回路（制御部）１８は、貯留部８内の処理水を所定量外部に吐出させた際に、昇圧ポンプ９の駆動を停止するようにしている。
【００６０】
具体的には、制御回路（制御部）１８は、昇圧ポンプ９が空運転となった際に、当該昇圧ポンプ９の駆動を停止する制御を行っている。
【００６１】
本実施形態では、昇圧ポンプ９の電流値を検知する検知手段を設け、昇圧ポンプ９が空運転となった際に当該昇圧ポンプ９に流れる電流値を検知手段が検知した際に、制御回路（制御部）１８が昇圧ポンプ９の駆動を停止するようにしている。
【００６２】
さらに、制御回路（制御部）１８は、昇圧ポンプ９が貯留部８内の処理水を所定量だけ外部に吐出させる定量吐水を行うように制御している。
【００６３】
また、制御回路（制御部）１８は、昇圧ポンプ９が貯留部８内の処理水を所定流量で外部に吐出させる定流量吐水を行うように制御している。
【００６４】
ここで、本実施形態では、昇圧ポンプ９を制御することで、定流量吐水を行うようにしている。
【００６５】
例えば、制御回路（制御部）１８が、昇圧ポンプ９の電流値をフィードバックし、当該昇圧ポンプ９の電流値を制御することで、昇圧ポンプ９の吐出流量を略一定にさせる制御を行うようにするとができる。
【００６６】
具体的には、貯留部８内の処理水の水位が高いときには、一定流量吐出するために昇圧ポンプ９に流す電流値は小さくてすむが、貯留部８内の処理水の水位が低いときには、同流量だけ吐出するために昇圧ポンプ９に流す電流値が大きくなる。
【００６７】
そこで、駆動時間等に基づいて、昇圧ポンプ９に流す電流値を徐々にもしくは段階的に大きくすることで、昇圧ポンプ９の吐出流量を略一定にすることができる。
【００６８】
また、水処理装置１に、貯留部８の処理水の水位を推定する水位推定手段を設け、推定された水位に応じた電流値で昇圧ポンプ９を駆動させることで、昇圧ポンプ９の吐出流量が略一定となるように制御してもよい。
【００６９】
具体的には、貯留部８の処理水の水位を複数のレンジに区分し、各レンジに対応した電流値をそれぞれ定め、それらの対応を制御回路（制御部）１８に記憶させる。
【００７０】
そして、制御回路（制御部）１８が、推定された水位が属するレンジに対応した電流値で昇圧ポンプを駆動させることで、昇圧ポンプ９の吐出流量が略一定となるように制御してもよい。
【００７１】
なお、水位推定手段としては、水位センサを用いることができる。また、昇圧ポンプ５および昇圧ポンプ９の駆動時間から貯留部８の処理水の水位を推定するようにしてもよい。
【００７２】
このように定流量吐水を行えるようにすることで、定量吐水を容易に行うことができるようになる。
【００７３】
かかる構成を備える水処理装置１は、以下のように動作する。
【００７４】
まず、筐体２に設けられた表示部・操作部１９を操作すると、制御回路（制御部）１８により、給水路Ｐ１の開閉弁４が開かれる。そして、原水が原水配水管Ｐ０から給水路Ｐ１内に導入され、給水路Ｐ１内のプレフィルタ３を通過しながら濾過されて浄水が生成される。このように、前処理を行うことで生成された浄水は、開閉弁４を通過して昇圧ポンプ５に至り、昇圧ポンプ５によって昇圧される。
【００７５】
そして、昇圧された浄水がナノフィルタ６に導入される。
【００７６】
そして、ナノフィルタ６に導入され、ＮＦ膜６ａを透過して当該ＮＦ膜６ａによって水中に溶存する有機物やイオンが取り除かれた処理水（透過水）が、活性炭フィルタ７に導入される。
【００７７】
そして、活性炭フィルタ７を通過して、ＮＦ膜（逆浸透膜）６ａを透過させた際に発生するにおい等を除去した処理水（透過水）が、導入路Ｐ２の吐出口５０から貯留部８内に貯留される。このとき、水位センサ２０が満水状態であることを検知すると、処理水生成部４０での処理水（透過水）の生成が停止し、貯留部８内への処理水（透過水）の供給が停止する。
【００７８】
そして、通常使用時には、貯留部８に処理水が溜まっている状態（好ましくは満水の状態）で、アルカリイオン水や透過水を吐出口７０から外部に吐出するようにしている。
【００７９】
そして、アルカリイオン水を吐出口７０から外部に吐出する際には、表示部・操作部１９を操作してアルカリイオン水生成モードを選択する。
【００８０】
すると、昇圧ポンプ９が駆動し、貯留部８内の処理水（透過水）が、殺菌／電解処理路Ｐ３を通り、電解槽１０へと供給される。このとき、上述した制御が制御回路（制御部）１８で行われ、略一定流量の処理水が昇圧ポンプ９から吐出される。
【００８１】
なお、殺菌／電解処理路Ｐ３内の処理水（透過水）は、一部が陰極室１０ｃに導入され、他が陽極室１０ｅに導入される。陰極室１０ｃおよび陽極室１０ｅに導入される処理水（透過水）の導入量（流量比率）は、排出路Ｐ６を絞ることで決定している。
【００８２】
そして、電解槽１０内に供給された処理水は、陰極１０ｂおよび陽極１０ｄに直流電圧を印加することで電気分解され、陰極室１０ｃではアルカリイオン水が、陽極室１０ｅでは酸性水が生成される。
【００８３】
そして、陰極室１０ｃで生成されたアルカリイオン水は、吐出口７０から外部に吐出する前に、殺菌部１１を通過させることで殺菌される。そして、殺菌部１１にて殺菌されたアルカリイオン水は、殺菌／電解処理路Ｐ３および吐出路Ｐ４を通り、吐出口７０から外部に吐出する。一方、陽極室１０ｅで生成された酸性水は、排出路Ｐ６を通り外部に排出される。
【００８４】
このとき、開閉弁４および機械式可動弁２１は開いており、それぞれの水路内を水が通過できるようにしている。また、本実施形態では、昇圧ポンプ５も作動させ、アルカリイオン水給水時に、新たに生成された処理水（透過水）を貯留部８内に供給できるようにしている。
【００８５】
なお、飲料用に少量のアルカリイオン水を生成させる場合、表示部・操作部１９を操作して通水を停止することになる。このように、通水を停止した場合には、制御回路（制御部）１８により開閉弁４が閉じられ、昇圧ポンプ５および昇圧ポンプ９が停止する。ただし、本実施形態では、ナノフィルタ６を透過させた処理水を貯留部８内に供給させるようにしているため、処理水の単位時間あたりの生成量が、アルカリイオン水の単位時間あたりの生成量よりも少なくなっている。そのため、昇圧ポンプ９を停止させた後、所定時間経過後、もしくは、貯留部８が満水状態であることを検知した後に、開閉弁４を閉じ、昇圧ポンプ５を停止するようにするのが好ましい。
【００８６】
また、冷蔵庫保管用等、大量のアルカリイオン水を吐出させる場合には、表示部・操作部１９を操作して定流量吐出モードを選択する。
【００８７】
定流量吐出モードが選択された場合、２リットル等、所定量のアルカリイオン水が吐出された際に、制御回路（制御部）１８により昇圧ポンプ９を停止し、給水を停止するようになる。所定量の検知は、昇圧ポンプ９を定流量吐水させ、吐出流量と昇圧ポンプ９の駆動時間（両者の積）に基づいて検知するようにしている。
【００８８】
また、処理水を吐出口７０から外部に吐出する際には、表示部・操作部１９を操作して処理水生成モード（浄水）を選択する。
【００８９】
この処理水生成モード（浄水）を選択すると、電解槽１０を動作させない状態で、アルカリイオン水生成モードとほぼ同様の作用が行われる。このとき、陽極室１０ｅ内に処理水が導入されないように電磁弁１４を閉じれば、処理水が無駄に排水されてしまうのを抑制することができる。
【００９０】
さらに、本実施形態では、貯留部８内の処理水を排水する排水モードを選択できるようになっている。
【００９１】
そして、貯留部８を取り外して洗浄する場合には、排水モードを選択することで、貯留部８内の処理水を排水した状態で取り出せるようになっている。
【００９２】
貯留部８内の処理水の排水は、上述した排水手段を用いて行うことができる。
【００９３】
このとき、貯留部８の洗浄時期を報知するようにするのが好ましい。
【００９４】
以上説明したように、本実施形態によれば、貯留部８の下流側に、昇圧ポンプ（ポンプ）９および電解槽１０が配置されている。このため、電解槽１０を駆動させた場合には、電解水（アルカリイオン水や酸性水）を取り出すことができ、電解槽１０を駆動させない場合には、処理水（透過水）を取り出すことができる。このように、本実施形態によれば、貯留部８内に貯留される処理水から複数種類の処理水を取り出すことのできる水処理装置１を得ることができる。
【００９５】
また、水処理装置１は、制御回路（制御部）１８を備えている。この制御回路（制御部）１８が、昇圧ポンプ（ポンプ）９の電流値をフィードバックし、当該昇圧ポンプ（ポンプ）９の電流値を制御するようにすれば、昇圧ポンプ（ポンプ）９の吐出流量が略一定となるように制御することができる。そのため、昇圧ポンプ（ポンプ）９によって処理水をより安定して電解槽１０内に送水することができ、貯留部８内に貯留される処理水の水位によらず、所望のｐＨ値のアルカリイオン水を安定して取り出すことができるようになる。
【００９６】
また、所望のｐＨ値のアルカリイオン水を安定して取り出すために、ｐＨセンサや電圧可変回路等を設ける必要がなくなり、水処理装置１の構成の簡素化を図ることができるという利点もある。
【００９７】
また、水処理装置１は、貯留部８の水位を推定する水位推定手段を有している。そして制御回路（制御部）１８が、推定された水位に応じた電流値で昇圧ポンプ（ポンプ）９を駆動させるようにしても、昇圧ポンプ（ポンプ）９の吐出流量が略一定となるように制御することができる。そのため、昇圧ポンプ（ポンプ）９によって処理水をより安定して電解槽１０内に送水することができ、貯留部８内に貯留される処理水の水位によらず、所望のｐＨ値のアルカリイオン水を安定して取り出すことができるようになる。
【００９８】
このとき、貯留部８の水位を複数のレンジに区分し、各レンジに対応した電流値をそれぞれ定めて、制御回路（制御部）１８に記憶させ、制御回路（制御部）１８が、推定された水位が属するレンジに対応した電流値で昇圧ポンプ（ポンプ）９を駆動させるようにすれば、昇圧ポンプ（ポンプ）９の吐出流量の制御をより容易に行うことができる。
【００９９】
（第２実施形態）
本実施形態にかかる水処理装置１Ａは、基本的に上記第１実施形態とほぼ同様の構成をしている。すなわち、水処理装置１Ａは、図２に示すように、処理水生成部４０で生成された処理水を貯留する貯留部８と、処理水を加圧する昇圧ポンプ９と、少なくとも一対の陰極１０ｂおよび陽極１０ｄを有し、電解水を生成する電解槽１０と、を備えている。
【０１００】
また、貯留部８の下流側に、昇圧ポンプ（ポンプ）９および電解槽１０が配置されている。
【０１０１】
さらに、吐出路Ｐ４の途中には電磁弁１３が設けられており、排出路Ｐ６には電磁弁１４が設けられている。
【０１０２】
そして、制御回路（制御部）１８が、昇圧ポンプ（ポンプ）９の電流値をフィードバックし、当該昇圧ポンプ（ポンプ）９の電流値を制御したり、水位推定手段によって推定された水位に応じた電流値で昇圧ポンプ（ポンプ）９を駆動させたりしている。
【０１０３】
ここで、本実施形態にかかる水処理装置１Ａが、上記第１実施形態と主に異なる点は、水処理装置１Ａが、貯留部３内の処理水を循環させて貯留部３内に再導入する循環路Ｐ７を備えている点にある。
【０１０４】
具体的には、殺菌／電解処理路Ｐ３の下流端に分岐部Ｄ１を設けており、この分岐部Ｄ１によって殺菌／電解処理路Ｐ３を吐出路Ｐ４と循環路Ｐ７とに分岐させるようにしている。
【０１０５】
また、本実施形態では、循環路Ｐ７は、循環路Ｐ７内の処理水を貯留部８内に吐出する循環用吐出口６０を有している。この循環用吐出口６０は、貯留部８の上部に配置されており、貯留部８の上方から循環させた処理水（透過水）を吐出するようにしている。
【０１０６】
さらに、殺菌／電解処理路Ｐ３の途中、すなわち、貯留部８の下流側に、電解槽１０が設けられており、吐出路Ｐ４からアルカリイオン水（処理水）や透過水（処理水）を選択的に供給できるようになっている。
【０１０７】
本実施形態では、殺菌／電解処理路Ｐ３の上流側から順に昇圧ポンプ９、電解槽１０が設置されている。
【０１０８】
そして、貯留部８内の処理水を循環させる処理水循環モードを選択できるようになっている。
【０１０９】
例えば、飲用水を吐出口７０から外部に吐出した後、所定時間経過後に、処理水循環モードが選択されるように制御したり、表示部・操作部１９を操作して処理水循環モードを選択したりできるようにしている。
【０１１０】
この処理水循環モードが選択されると、開閉弁４を閉じ、昇圧ポンプ５を停止した状態で、昇圧ポンプ９が駆動される。また、電磁弁１３および電磁弁１４が閉じられ、電磁弁１２および機械的可動弁２１が開かれる。このとき、電解槽１０を動作させないようにする。
【０１１１】
こうして、貯留部８内の処理水は、殺菌／電解処理路Ｐ３を通り、途中で殺菌部１１にて殺菌されて循環路Ｐ７の循環用吐出口６０から貯留部８内に再導入される。
【０１１２】
さらに、本実施形態では、殺菌／電解処理路Ｐ３、循環路Ｐ７および貯留部８内に酸性水を循環させる逆洗浄モードを選択できるようになっている。
【０１１３】
この逆洗浄モードも、使用者の選択もしくは制御回路（制御部）１８による選択が可能である。
【０１１４】
逆洗浄モードが選択された場合には、電解槽１０に通常とは逆の電圧を印加し、陰極室１０ｃで酸性水が生成されるようにしている。そして、生成された酸性水を、処理水循環モードと同様に循環させるようにしている。なお、殺菌部１１での殺菌は行っても行わなくてもよい。
【０１１５】
そして、逆洗浄モード終了後には、殺菌／電解処理路Ｐ３、循環路Ｐ７および貯留部８内の酸性水を排水し、排水後に処理水を生成して貯留部８に貯留するようにしている。
【０１１６】
なお、酸性水の排水は、機械的可動弁２１、昇圧ポンプ９、電解槽１０の陽極室１０ｅ、排出路Ｐ６を通過させて排水するのが好ましい。
【０１１７】
このように、本実施形態においては、アルカリイオン水生成モード、処理水生成モード、定流量吐出モード、処理水循環モード、逆洗浄モードおよび排水モードを選択することができるようになっている。
【０１１８】
以上の本実施形態によっても、上記第１実施形態とほぼ同様の作用、効果を奏することができる。
【０１１９】
また、本実施形態によれば、電解槽１０で生成された酸性水が循環路Ｐ７内を循環できるようにしたため、循環路Ｐ７や電解槽１０をより衛生的にすることができる。
【０１２０】
（第３実施形態）
本実施形態にかかる水処理装置１Ｂは、基本的に上記第２実施形態とほぼ同様の構成をしている。すなわち、水処理装置１Ｂは、図３に示すように、処理水生成部４０で生成された処理水を貯留する貯留部８と、処理水を加圧する昇圧ポンプ９と、少なくとも一対の陰極１０ｂおよび陽極１０ｄを有し、電解水を生成する電解槽１０と、を備えている。
【０１２１】
そして、本実施形態においても、貯留部８の下流側に、昇圧ポンプ（ポンプ）９および電解槽１０が配置されている。
【０１２２】
そして、制御回路（制御部）１８が、昇圧ポンプ（ポンプ）９の電流値をフィードバックし、当該昇圧ポンプ（ポンプ）９の電流値を制御したり、水位推定手段によって推定された水位に応じた電流値で昇圧ポンプ（ポンプ）９を駆動させたりしている。
【０１２３】
さらに、水処理装置１Ｂは、貯留部３内の処理水を循環させて貯留部３内に再導入する循環路Ｐ７を備えている。
【０１２４】
ここで、本実施形態にかかる水処理装置１Ｂが、上記第１実施形態と主に異なる点は、導入路Ｐ２の吐出口５０が循環用吐出口６０を兼ねている点にある。
【０１２５】
具体的には、循環路Ｐ７の先端を導入路Ｐ２に合流部Ｄ３にて連結させ、循環路Ｐ７内の処理水を導入路Ｐ２の吐出口５０から、貯留部８内に再導入させるようにしている。
【０１２６】
また、本実施形態においても、上記第１実施形態で説明した、アルカリイオン水生成モード、処理水生成モード、定流量吐出モード、処理水循環モード、逆洗浄モードおよび排水モードを選択することができるようになっている。
【０１２７】
さらに、本実施形態では、貯留部８に弁２２が設けられた通路が筐体２の外部に露出するように連通されており、貯留部８内の処理水を直接（殺菌／電解処理路Ｐ３および吐出路Ｐ４を経由することなく）取り出せるようになっている。
【０１２８】
以上の本実施形態によっても、上記第２実施形態と同様の作用、効果を奏することができる。
【０１２９】
また、本実施形態によれば、導入路Ｐ２の吐出口５０が循環用吐出口６０を兼ねているため、部品点数の削減を図ることができ、コストを削減することができる。
【０１３０】
（第４実施形態）
本実施形態にかかる水処理装置１Ｃは、基本的に上記第３実施形態とほぼ同様の構成をしている。すなわち、水処理装置１Ｃは、図４に示すように、処理水生成部４０で生成された処理水を貯留する貯留部８と、処理水を加圧する昇圧ポンプ９と、少なくとも一対の陰極１０ｂおよび陽極１０ｄを有し、電解水を生成する電解槽１０と、を備えている。
【０１３１】
そして、本実施形態においても、貯留部８の下流側に、昇圧ポンプ（ポンプ）９および電解槽１０が配置されている。
【０１３２】
そして、制御回路（制御部）１８が、昇圧ポンプ（ポンプ）９の電流値をフィードバックし、当該昇圧ポンプ（ポンプ）９の電流値を制御したり、水位推定手段によって推定された水位に応じた電流値で昇圧ポンプ（ポンプ）９を駆動させたりしている。
【０１３３】
また、導入路Ｐ２の吐出口５０が循環用吐出口６０を兼ねており、導入路Ｐ２の吐出口５０の貯留部８との相対位置を変化させることができるようになっている。
【０１３４】
また、貯留部８に弁２２が設けられた通路が筐体２の外部に露出するように連通されており、貯留部８内の処理水を直接（殺菌／電解処理路Ｐ３および吐出路Ｐ４を経由することなく）取り出せるようになっている。
【０１３５】
また、本実施形態においても、上記第１実施形態で説明した、アルカリイオン水生成モード、処理水生成モード、定流量吐出モード、処理水循環モード、逆洗浄モードおよび排水モードを選択することができるようになっている。
【０１３６】
ここで、本実施形態にかかる水処理装置１Ｃが、上記第３実施形態と主に異なる点は、濃縮水排水路Ｐ５と排出路Ｐ６とを連通させ、連通部の下流側にリストリクタ１５を設けた点にある。
【０１３７】
具体的には、濃縮水排水路Ｐ５と排出路Ｐ６とを合流部Ｄ４で連通させ、合流部Ｄ４の下流側にリストリクタ１５を設けている。
【０１３８】
そして、排出路Ｐ６の電磁弁１４の下流側には、濃縮水排水路Ｐ５内の濃縮水が排出路Ｐ６内に逆流してしまわないように、逆止弁２３が設けられている。
【０１３９】
かかる構成とすることで、逆洗浄モード終了後に排水する酸性水がリストリクタ１５を通過することになり、リストリクタ１５に付着したスケールを溶解させることができる。
【０１４０】
以上の本実施形態によっても、上記第３実施形態と同様の作用、効果を奏することができる。
【０１４１】
また、本実施形態によれば、濃縮水排水路Ｐ５と排出路Ｐ６とを連通させ、連通部の下流側にリストリクタ１５を設けている。
【０１４２】
そのため、逆洗浄モード終了後に排水する酸性水がリストリクタ１５を通過することになり、リストリクタ１５に付着したスケールを溶解させることができる。その結果、リストリクタ１５がスケールによって詰まってしまうのを抑制することができるようになる。
【０１４３】
以上、本発明の好適な実施形態について説明したが、本発明は上記実施形態に限定されるものではなく、種々の変形が可能である。
【０１４４】
例えば、上記各実施形態では、殺菌部を設けたものを例示したが、殺菌部を設けない水処理装置に本発明を適用することも可能である。
【０１４５】
また、上記各実施形態では、貯留部を着脱可能に設けたものを例示したが、貯留部が固定されたものであってもよい。
【０１４６】
また、処理水生成部や電解槽、その他細部のスペック（形状、大きさ、レイアウト等）も適宜に変更可能である。
【符号の説明】
【０１４７】
１，１Ａ，１Ｂ，１Ｃ  水処理装置
６  ナノフィルタ（逆浸透濾過部）
６ａ  ＮＦ膜（逆浸透膜）
８  貯留部
９  昇圧ポンプ（ポンプ）
１０  電解槽
１５  リストリクタ
１８  制御回路（制御部）
４０  処理水生成部
Ｄ４  合流部（連通部）
Ｐ５  濃縮水排水路
Ｐ６  排水路
Ｐ７  循環路
【図１】
2013066830.tif 000003
【図２】
2013066830.tif 000004
【図３】
2013066830.tif 000005
【図４】
2013066830.tif 000006